(57)【要約】【課題】構造を複雑にせずに、小型化、コストの削減が可能なカメラ用光学系調整装置を提供する。【解決手段】Ｙ方向調整ネジ９５１とスペーサ９５２とを用いて、測光レンズ９２のＹ方向の位置を、Ｙ方向に移動させ調整する。同様に、Ｘ方向調整ネジ９５３とスペーサ９５４とを用いて、測光レンズ９２のＸ方向の位置を、Ｘ方向に移動させ調整する。このとき、スペーサ９５２の当接面９５２ａを、測光レンズ９２のフランジ部９２ｃの外周面９２ｄと当接させ、測光レンズ９２をＸ方向へガイドするガイド部とし、また、ペーサ９５４の当接面９５４ａを、測光レンズ９２のフランジ部９２ｃの外周面９２ｄと当接させ、測光レンズ９２をＹ方向へガイドするガイド部とした。【選択図】図５
2006189599.tif 000002
【特許請求の範囲】
【請求項１】
受光素子と、
前記受光素子に受光させる光学系を形成する少なくとも１つのレンズ部材と、
前記レンズ部材の位置を、その光軸と直交する第１の方向に移動させ調整する第１の調整部と、
前記レンズ部材の位置を、前記光軸と直交し、前記第１の方向とは異なる第２の方向に移動させ調整する第２の調整部と、
前記レンズ部材の前記第１の方向への移動をガイドする第１のガイド部と、
前記レンズ部材の前記第２の方向への移動をガイドする第２のガイド部と、
を備えたカメラ用光学系調整装置。
【請求項２】
請求項１に記載のカメラ用光学系調整装置において、
前記第１の調整部は、前記レンズ部材と当接する第１の当接部が、前記第２のガイド部を形成し、前記第２の調整部による前記レンズ部材の前記第２の方向への移動をガイドすること、
前記第２の調整部は、前記レンズ部材と当接する第２の当接部が、前記第１のガイド部を形成し、前記第１の調整部による前記レンズ部材の前記第１の方向への移動をガイドすること、
を特徴とするカメラ用光学系調整装置。
【請求項３】
請求項２に記載のカメラ用光学系調整装置において、
前記レンズ部材は、前記光学系を形成するレンズ部と、前記レンズ部の径方向外側に設けられ、前記光軸に沿った方向に中心軸を有する円筒状に形成されたフランジ部とを有し、
前記第１の調整部の前記第１の当接部は、前記フランジ部の外周面と当接し、前記第２のガイド部を形成すること、
前記第２の調整部の前記第２の当接部は、前記フランジ部の前記外周面と当接し、前記第１のガイド部を形成すること、
を特徴とするカメラ用光学系調整装置。
【請求項４】
請求項２又は請求項３に記載のカメラ用光学系調整装置において、
前記レンズ部材を前記第１及び第２の当接部に付勢する付勢部を備えること、
を特徴とするカメラ用光学系調整装置。
【請求項５】
請求項３又は請求項４に記載のカメラ用光学系調整装置において、
前記フランジ部の、前記受光素子側の面である第１の面と当接し、前記レンズ部材の前記受光素子側への移動を規制する規制部と、
前記フランジ部の、前記受光素子側とは反対側の面である第２の面を押圧し、前記規制部に前記第１の面を押し当てる押圧部とを備えること、
を特徴とするカメラ用光学系調整装置。
【請求項６】
請求項１から請求項５のいずれか１項に記載のカメラ用光学系調整装置において、
前記受光素子は、露出のための測光及び／又は閃光撮影の調光を行なうための光学素子であること、
を特徴とするカメラ用光学系調整装置。
【請求項７】
請求項１から請求項６のいずれか１項に記載のカメラ用光学系調整装置において、
前記受光素子は、電荷蓄積型の光学素子であること、
を特徴とするカメラ用光学系調整装置。
【発明の詳細な説明】
【技術分野】
【０００１】
本発明は、光学素子と光学系とを備えたカメラ用光学系調整装置に関するものである。
【背景技術】
【０００２】
従来から、一眼レフカメラは、被写体光をクイックリターンミラーでファインダスクリーン方向に反射し、ファインダスクリーン上に結像された被写体像をペンタプリズムで正立像に変換して接眼光学系により観察していた。また、一眼レフカメラにおいては、被写体光の一部をペンタプリズムの射出面付近の接眼レンズ上部に設けられた測光素子に導いて測光を行うものがあった。このような測光方式の一眼レフカメラは、撮像画面の中心と測光領域の中心とが、部品の精度のばらつきや製造時の組み立て誤差等により、一致しないことがあった。この場合には、これらの中心を一致させるように調整する必要がある。
【０００３】
従来、ＳＰＤ（シリコンフォトダイオード）による多分割測光の測光素子を用いたカメラでは、測光領域が５分割や８分割などに分割されていた。このため、撮影レンズ側から分割領域の分割模様をＣＣＤカメラ等で目視観察しながら測光素子の位置を調整し、測光領域の中心とファインダ光軸とをほぼ一致させることにより、撮影画面の中心と測光領域の中心とを一致させることができた。
【０００４】
ところが、ＣＣＤ（電荷結合素子）のように画素が格子状に規則的に並んでいる撮像素子を測光素子として用いる場合には、同一形状の小さな画素が規則的に並んでいるため素子中心が認識できず、目視観察では測光素子の中心位置とファインダ光軸とを一致させることができない。そのため、ＣＣＤからの撮影信号を解析することにより、スポット光の位置とＣＣＤ中心とのずれを求めるようにしていた。
【０００５】
しかしながら、ＣＣＤは電荷蓄積型のセンサであるため、ＣＣＤを移動させつつ画像を確認するというようにリアルタイムに位置合わせを行うことができず、位置調整毎にＣＣＤを位置決めし、その状態で撮影を行って中心位置のずれを算出する必要があった。そのため、電荷蓄積型のセンサを測光素子に用いる場合には、測光素子を光軸に垂直な面内で２次元的に移動できるＸＹステージに載置し、位置調整毎に素子を位置決めする必要があった。その結果、測光装置が大型化して、カメラファインダ部分が大きくなるという問題があった。
一方、特許文献１には、ＸＹステージを用いない光学素子の位置あわせの機構として、光学素子を磁石を用いて鉄製の保持部材に圧着する装置が開示されている。しかし、この装置は、調整機構を備えていないため、光学素子の微調整が困難であるという問題がある。
【特許文献１】実開平６−５８３３１号公報
【発明の開示】
【発明が解決しようとする課題】
【０００６】
本発明の課題は、構造を複雑にせずに、小型化、コストの削減が可能なカメラ用光学系調整装置を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、受光素子（９４）と、前記受光素子（９４）に受光させる光学系（９）を形成する少なくとも１つのレンズ部材（９２）と、前記レンズ部材（９２）の位置を、その光軸（Ｏ５）と直交する第１の方向（Ｙ方向）に移動させ調整する第１の調整部（９５１，９５２）と、前記レンズ部材（９２）の位置を、前記光軸（Ｏ５）と直交し、前記第１の方向（Ｙ方向）とは異なる第２の方向（Ｘ方向）に移動させ調整する第２の調整部（９５３，９５４）と、前記レンズ部材（９２）の前記第１の方向（Ｙ方向）への移動をガイドする第１のガイド部（９５４ａ）と、前記レンズ部材（９２）の前記第２の方向（Ｘ方向）への移動をガイドする第２のガイド部（９５２ａ）と、を備えたカメラ用光学系調整装置である。
【０００８】
請求項２の発明は、請求項１に記載のカメラ用光学系調整装置において、前記第１の調整部（９５１，９５２）は、前記レンズ部材（９２）と当接する第１の当接部（９５２ａ）が、前記第２のガイド部（９５２ａ）を形成し、前記第２の調整部（９５３，９５４）による前記レンズ部材（９２）の前記第２の方向（Ｘ方向）への移動をガイドすること、前記第２の調整部（９５３，９５４）は、前記レンズ部材（９２）と当接する第２の当接部（９５４ａ）が、前記第１のガイド部（９５４ａ）を形成し、前記第１の調整部（９５１，９５２）による前記レンズ部材（９２）の前記第１の方向（Ｙ方向）への移動をガイドすること、を特徴とするカメラ用光学系調整装置である。
請求項３の発明は、請求項２に記載のカメラ用光学系調整装置において、前記レンズ部材（９２）は、前記光学系（９）を形成するレンズ部（９２ａ，９２ｂ）と、前記レンズ部（９２ａ，９２ｂ）の径方向外側に設けられ、前記光軸（Ｏ５）に沿った方向に中心軸を有する円筒状に形成されたフランジ部（９２ｃ）とを有し、前記第１の調整部（９５１，９５２）の前記第１の当接部（９５２ａ）は、前記フランジ部（９２ｃ）の外周面（９２ｄ）と当接し、前記第２のガイド部（９５２ａ）を形成すること、前記第２の調整部（９５３，９５４）の前記第２の当接部（９５４ａ）は、前記フランジ部（９２ｃ）の前記外周面（９２ｄ）と当接し、前記第１のガイド部（９５４ａ）を形成すること、を特徴とするカメラ用光学系調整装置である。
請求項４の発明は、請求項２又は請求項３に記載のカメラ用光学系調整装置において、前記レンズ部材（９２）を前記第１及び第２の当接部（９５４ａ）に付勢する付勢部（９５５）を備えること、を特徴とするカメラ用光学系調整装置である。
請求項５の発明は、請求項３又は請求項４に記載のカメラ用光学系調整装置において、前記フランジ部（９２ｃ）の前記受光素子（９４）側の面である第１の面（９２ｆ）と当接し、前記レンズ部材（９２）の前記受光素子（９４）側への移動を規制する規制部（９５ａ）と、前記フランジ部（９２ｃ）の、前記受光素子（９４）側とは反対側の面である第２の面（９２ｅ）を押圧し、前記規制部（９５ａ）に前記第１の面（９２ｆ）を押し当てる押圧部（９５７，９５８）とを備えること、を特徴とするカメラ用光学系調整装置である。
請求項６の発明は、請求項１から請求項５のいずれか１項に記載のカメラ用光学系調整装置において、前記受光素子（９４）は、露出のための測光及び／又は閃光撮影の調光を行なうための光学素子であること、を特徴とするカメラ用光学系調整装置である。
請求項７の発明は、請求項１から請求項６のいずれか１項に記載のカメラ用光学系調整装置において、前記受光素子（９４）は、電荷蓄積型の光学素子であること、を特徴とするカメラ用光学系調整装置である。
【発明の効果】
【０００９】
本発明によれば、以下の効果を奏することができる。
（１）本発明のカメラ用光学系調整装置は、受光素子と、受光素子に受光させる光学系を形成する少なくとも１つのレンズ部材とを備えている。そして、レンズ部材の位置を、その光軸と直交する第１の方向に移動させ調整する第１の調整部と、レンズ部材の位置を、その光軸と直交し、第１の方向とは異なる第２の方向に移動させ調整する第２の調整部とを備えている。さらに、レンズ部材を第１の方向へガイドする第１のガイド部と、レンズ部材を第２の方向へガイドする第２のガイド部とを備えている。
これにより、本発明のカメラ用光学系調整装置は、レンズ部材を、その光軸と直交する第１及び第２の方向へ移動することができ、受光素子に対するこの方向における位置の調整をすることができる。また、受光素子ではなく、レンズ部材を移動させるため、調整機構を小型にすることができる。
【００１０】
（２）本発明のカメラ用光学系調整装置は、第１の調整部のレンズ部材と当接する第１の当接部が、第２のガイド部を形成し、第２の調整部によるレンズ部材の第２の方向への移動をガイドし、また、第２の調整部のレンズ部材と当接する第２の当接部が、第１のガイド部を形成し、第１の調整部によるレンズ部材の第１の方向への移動をガイドする。
これにより、本発明のカメラ用光学系調整装置は、部品点数を削減でき、また、構造を簡単にすることができるので、カメラの小型化、コスト削減をすることができる。特に、受光素子、レンズ部材等が、観察光学系（ファインダ光学系）周辺に組み込まれているときには、カメラのファインダ部分を小型にすることができる。
（３）本発明のカメラ用光学系調整装置は、レンズ部材が、光学系を形成するレンズ部と、フランジ部とを有している。フランジ部は、レンズ部の径方向外側に設けられ、光軸に沿った方向に中心軸を有する円筒状に形成されている。そして、第１の調整部の第１の当接部は、フランジ部の外周面と当接して第２のガイド部を形成し、また、第２の調整部の第２の当接部は、フランジ部の外周面と当接して第１のガイド部を形成している。
これにより、本発明のカメラ用光学系調整装置は、レンズ部材をガイドする構造をより簡単にすることができる。
（４）本発明のカメラ用光学系調整装置は、レンズ部材を第１及び第２の当接部に付勢する付勢部を備えている。
これにより、本発明のカメラ用光学系調整装置は、レンズ部材の、その光軸に垂直な方向における保持構造を簡単にすることができる。特に（３）に記載のレンズ部材は、その光軸回りの回転が拘束されないので、調整時の移動において、光軸を中心として回転することができ、また、その回転によっては、光軸の位置がずれることがない。
（５）本発明のカメラ用光学系調整装置は、規制部がフランジ部の受光素子側の面である第１の面と当接し、レンズ部材の受光素子側への移動を規制し、また、押圧部が受光素子側とは反対側の面である第２の面を押圧し、規制部に第１の面を押し当てている。
これにより、本発明のカメラ用光学系調整装置は、レンズ部材の、その光軸に沿った方向における保持構造を簡単にすることができる。また。レンズ部材をその光軸に垂直な方向に拘束しないので、レンズ部材は、調整時に第１及び第２の方向に移動することができる。
（６）本発明のカメラ用光学系調整装置は、受光素子が、露出のための測光及び／又は閃光撮影の調光を行なうための光学素子である。
これにより、本発明のカメラ用光学系調整装置は、測光及び／又は閃光撮影の調光を行なうための光学系の周辺を小型にすることができる。
（７）本発明のカメラ用光学系調整装置は、受光素子が、電荷蓄積型の光学素子である。
これにより、本発明のカメラ用光学系調整装置は、上述した構成を用いて、調整時に電荷蓄積型の受光素子を一時的に保持することにより、調整作業が容易にでき、作業効率の向上を図ることができる。
【発明を実施するための最良の形態】
【００１１】
本発明は、構造を複雑にせずに、小型化、コストの削減が可能なカメラ用光学系調整装置を提供するという目的を、Ｙ方向調整ネジとＹ方向調整用スペーサとを用いて、測光レンズの位置をＹ方向に移動させ調整し、同様に、Ｘ方向調整ネジとＸ方向調整用スペーサとを用いて、測光レンズの位置をＸ方向に移動させ調整し、このとき、Ｙ方向調整用スペーサの、測光レンズのフランジ部の外周面との当接面が、測光レンズをＸ方向へガイドするガイド部を形成し、同様に、Ｘ方向調整用スペーサの、測光レンズのフランジ部の外周面との当接面が、測光レンズをＹ方向へガイドするガイド部を形成することによって実現した。
【実施例】
【００１２】
以下、図面等を参照して、本発明の実施例をあげて、さらに詳しく説明する。
図１は、本発明を適用した実施例による測光装置（カメラ用光学系調整装置）が設けられたカメラ１を示す縦断面図である。
カメラ１は、フィルム用一眼レフカメラであり、クイックリターンミラー２と、交換レンズ３と、フィルム４と、シャッタ５と、ファインダスクリーン６と、ペンタプリズム７と、接眼光学系８と、測光装置９（カメラ用光学系調整装置）とを備えている。
【００１３】
クイックリターンミラー２は、被写体光の光軸Ｏ１を屈曲させるために、カメラ１のミラーボックス１ａ内に、回転可能に設けられたミラーである。図１に示すように、撮影観察時には、クイックリターンミラー２は、光軸Ｏ１を屈曲して光軸Ｏ２とし、後述するペンタプリズム７等に導くために、光軸Ｏ１に対して約４５度傾けて配置されている。クイックリターンミラー２は、レリーズ操作に応じて、退避位置（図１に２点鎖線で示す。）に移動し、そして被写体光が後述するフィルム４方向に導かれる。
交換レンズ３は、撮影光学系を構成する撮影用レンズ３１を収容し、カメラ１の被写体側（図１に示す左側）に、着脱可能に装着される。
フィルム４は、撮影光学系により結像された被写体像を定着する例えば３５ｍｍ用フィルムである。フィルム４は、カメラ１の内側の背面側（図１に示す右側）に、フィルム面が光軸Ｏ１に対して垂直になるように配置されている。
シャッタ５は、レリーズ操作に応じて開閉し、これにより、被写体像がフィルム４に結像される。
【００１４】
ファインダスクリーン６は、クイックリターンミラー２により反射された被写体像を、結像させるためのスクリーンであり、クイックリターンミラー２の上側に配置されている。ファインダスクリーン６は、そのスクリーンの面が光軸Ｏ２に対して垂直になるように配置されている。
ペンタプリズム７は、ファインダスクリーン６で結像した像を、正立像とし、接眼光学系８等に導くプリズムであり、その断面形状は、図１に示すように五角形である。ペンタプリズム７は、カメラ１の上部に収容されている。ファインダスクリーン６からの光軸は、このペンタプリズム７によって、後述する接眼光学系８の光軸Ｏ３に、また、測光装置９の光軸Ｏ４に屈曲される。
接眼光学系８は、ペンタプリズム７により正立像とされた被写体像を、拡大観察するための光学系であり、ペンタプリズム７よりもカメラ１の背面側に配置されている。接眼光学系８は、その光軸Ｏ３上に、接眼レンズ８１，８２，８３が、ペンタプリズム７側からこの順に配置されている。
測光装置９は、フィルム４の感度、被写体の光の強さに応じて、適正露出を算出するために、光の強さを測定する測光素子と、これに受光させる光学系及びこれらの保持、調整機構等を備えている。測光装置９は、接眼光学系８の上部に設けられている。測光装置９については後述する。
【００１５】
上述したカメラ１の、撮影観察時における、光の進路について説明する。撮影観察時において、クイックリターンミラー２は、その反射面が実線で示すように、被写体光を反射してファインダ光学系へと導くために、光軸Ｏ１に対して約４５度傾いた状態に配置される。クイックリターンミラー２により反射された光は、ファインダスクリーン６で結像し、その像は、ペンタプリズム７により正立像とされる。正立像とされた被写体像は、接眼光学系８により拡大観察される。また、接眼光学系８よりも上側の範囲には、測光装置９が設けられ、ペンタプリズム７からの被写体光が、この測光装置９に導かれる。
【００１６】
次に、図２〜図５を参照してこの測光装置９について説明する。図２は、図１の測光装置９等の部分断面を拡大して模式的に示す図、図３は、後述する測光レンズ９２を示す図であり、図３（ａ）は、側面図、図３（ｂ）は、斜視図である。図４は、測光装置９等の横断面図、図５は、測光装置９等をカメラ下側から示す図である。
図２に示すように、測光装置９は、接眼光学系８を構成する接眼レンズ８１，８２，８３よりも上側に配置されている。
測光装置９は、測光プリズム９１と、測光レンズ９２（レンズ部材）と、ＩＲフィルタ９３、測光素子９４（受光素子）と、ホルダ９５とを備えている。
測光プリズム９１は、図２に示すように、ペンタプリズム７からの光軸Ｏ４を光軸Ｏ５へと、後述する測光レンズ９２等が配置されている上側の方向へ屈曲させるプリズムである。測光プリズム９１は、その入射面がカメラ１の前側を、射出面が上側を向くように、接眼レンズ８１の上側の範囲に収容されている。
【００１７】
測光レンズ９２は、測光装置９の光学系を形成するレンズであり、図２に示すように、測光プリズム９１よりも、上側の範囲に収容されている。
測光レンズ９２は、図３（ａ），図３（ｂ）に示すように、レンズ部９２ａ，９２ｂと、フランジ部９２ｃとからなり、フランジ部９２ｃは、外周面９２ｄと、面９２ｅ（第２の面）と，面９２ｆ（第１の面）とを有している。
レンズ部９２ａ，９２ｂは、凸レンズであり、測光装置９の光学系を形成するレンズである。レンズ部９２ａのレンズ面は、測光プリズム９１からの光の入射面であり、レンズ部９２ｂのレンズ面は、後述する測光素子９４側への光の射出面である（図２参照）。
フランジ部９２ｃは、図３（ａ），図３（ｂ）に示すように、レンズ部９２ａ，９２ｂの径方向外側に設けられ、光軸Ｏ５を中心軸とする円筒状に形成されたフランジである。外周面９２ｄは、フランジ部９２ｃの円筒部の外周面であり、後述するスペーサ９５２等との当接部である（図２参照）。
面９２ｅ，９２ｆは、フランジ部９２ｃの光軸方向（図３（ａ）に示す上下方向）を向いた円環状の平面である。図２に示すように、面９２ｅは、測光プリズム９１側の面であり、また、面９２ｆは、面９２ｅと反対側の、測光素子９４側の面である。面９２ｅは、後述する測光レンズ保持バネ９５７，９５８により、測光素子９４側に押し当てられている。面９２ｆは、後述するホルダ９５と当接し、これにより、測光レンズ９２は、測光素子９４側への移動が規制されている。
【００１８】
ＩＲフィルタ９３は、不自然な赤外域をカットするためのフィルタであり、図２に示すように、測光レンズ９２の測光素子９４側に配置されている。
測光素子９４は、光の強さを測定するための例えばＣＣＤ（電荷結合素子）、ＣＭＯＳ等の光―電子変換素子であり、その入射面９４ａが、ＩＲフィルタ９３の上側の面と接するよう配置されている。また入射面９４ａの反対側の面には、リードフレーム９４ｂが設けられ、これを用いて電気基板９４ｃに実装されている。ペンタプリズム７からの被写体光は、測光プリズム９１、測光レンズ９２、ＩＲフィルタ９３を介してこの測光素子９４の入射面９４ａに入射する。
【００１９】
ホルダ９５は、上述した測光レンズ９２と、ＩＲフィルタ９３と、測光素子９４とを保持し、また、測光レンズ９２の光軸Ｏ５に対して垂直な方向における位置を調整する部材であり、カメラ１に固定されている。
最初に、ホルダ９５における測光レンズ９２等の保持構造について説明する。
ホルダ９５は、図２に示すように、レンズ規制面９５ａと、フィルタ保持面９５ｂと、測光素子接触面９５ｃとを有している。
レンズ規制面９５ａは、図２に示すように、測光レンズ９２と測光素子９４との光軸方向（図２に示す上下方向）における距離を維持するために、測光レンズ９２の面９２ｆと当接する面である。レンズ規制面９５ａは、光軸Ｏ５に対して垂直な、また、光軸Ｏ５を中心とする円環状の平面であり、測光プリズム９１側を向いている。その円環の内側に、レンズ部９２ｂが収容されるように、測光レンズ９２が配置されている。ホルダ９５は、測光プリズム９１からの光を、測光素子９４へ導くために、光軸方向に貫通孔が設けられている。
【００２０】
フィルタ保持面９５ｂは、ＩＲフィルタ９３を保持するために、ＩＲフィルタ９３と当接する面である。フィルタ保持面９５ｂは、光軸Ｏ５に対して垂直な、また光軸Ｏ５を中心とする円環状の平面であり、測光素子９４側を向いている。ＩＲフィルタ９３は、このフィルタ保持面９５ｂと測光素子９４の入射面９４ａとの間に挟まれることにより、ホルダ９５に保持される。
測光素子接触面９５ｃは、測光素子９４の入射面９４ａと接触する、ホルダ９５の測光素子９４側の側面である。測光素子９４は、この測光素子接触面９５ｃと入射面９４ａとが接触を保つことにより、測光レンズ９２との光軸方向の距離が維持される。
【００２１】
次に、ホルダ９５の測光レンズ９２の位置調整の構造について説明する。
カメラは、その製造工程において、フィルムへの撮影画像の中心と、測光装置（測光系）による測光領域の中心とが、部品の精度のばらつきや組み立て誤差等により、一致しないことがある。そこで、本実施例の測光装置９は、ホルダ９５に、測光レンズ９２の位置を調整する調整機構を備えている。図２〜図５を参照してこの調整機構の構造について説明する
ホルダ９５には、測光レンズ９２の位置を調整するために、Ｙ方向調整ネジ９５１、スペーサ９５２と、Ｘ方向調整ネジ９５３と、スペーサ９５４と、バネ９５５（付勢部）と、ネジ９５６と、測光レンズ保持バネ９５７，９５８（押圧部）と、２つのネジ９５９とが設けられている。なお、以下の説明において、光軸Ｏ５と直交する方向である、カメラ１の前後方向をＹ方向（第１の方向）、カメラ１の左右方向をＸ方向（第２の方向）として説明する。
【００２２】
Ｙ方向調整ネジ９５１は、図２に示すように、測光レンズ９２のＹ方向の位置を調整するネジである。Ｙ方向調整ネジ９５１は、ホルダ９５にＹ方向に設けられたネジ穴９５ｄとネジ結合するためのネジ部９５１ａを有している。これにより、Ｙ方向調整ネジ９５１は、軸回りに回転されることにより、Ｙ方向に移動する。Ｙ方向調整ネジ９５１は、ネジ部９５１ａの先端に円柱状に設けられた先端部９５１ｂが、後述するスペーサ９５２と当接する。
【００２３】
スペーサ９５２は、測光レンズ９２のＹ方向の位置を調整するための部材であり、その形状は、図２に示すように、Ｙ方向に中心軸を有する円柱状である。スペーサ９５２は、ホルダ９５に設けられた凹部に挿入され、この凹部の側壁とホルダ９５の円柱の外周とが摺接することにより、ホルダ９５にＹ方向に移動可能に保持される。スペーサ９５２は、その測光レンズ９２側の面である当接面９５２ａ（第１の当接部）が、測光レンズ９２の外周面９２ｄと当接し、測光レンズ９２のＹ方向における位置を調整している。この当接面９５２ａは、Ｙ方向に対して垂直な平面である。また、スペーサ９５２は、当接面９５２ａと反対側の面を窪ませて設けられた凹部９５２ｂに、Ｙ方向調整ネジ９５１の先端部９５１ｂが挿入され、Ｙ方向調整ネジ９５１の移動に応じて、Ｙ方向に移動する。
【００２４】
Ｘ方向調整ネジ９５３とスペーサ９５４は、図５に示すように、測光レンズ９２のＸ方向における位置を調整するために、ホルダ９５に設けられている。Ｘ方向調整ネジ９５３、スペーサ９５４は、それぞれ前述したＹ方向調整ネジ９５１、スペーサ９５２と同様な部材であり、スペーサ９５４の当接面９５４ａ（第２の当接部）が、測光レンズ９２の外周面９２ｄと当接している。そして、スペーサ９５４は、Ｘ方向調整ネジ９５３の移動に応じて、Ｘ方向に移動する。
【００２５】
バネ９５５は、図５に示すように、測光レンズ９２を、スペーサ９５２の当接面９５２ａ及びスペーサ９５４の当接面９５４ａとに付勢するための板バネであり、ホルダ９５にネジ９５６を用いて固定されている。バネ９５５は、そのバネ先端部９５５ａが半円状に加工されており、これが測光レンズ９２の外周面９２ｄと当接している。また、バネ先端部９５５ａは、測光レンズ９２をバランスよく保持するめに、測光レンズ９２を付勢する位置と、付勢する方向である方向９５５ｂとが、スペーサ９５２，９５４からの角度がそれぞれ約１３５度（図５に角度９５５ｃ，９５５ｄで示す。）になるように配置されている。これにより、バネ９５５は、測光レンズ９２を、スペーサ９５２，９５４にほぼ均等の力よって付勢する。
バネ９５５は、測光レンズ９２の外周面９２ｄを、方向９５５ｂに付勢している。このため、バネ９５５は、測光レンズ９２が、スペーサ９５２，９５４の移動に応じて、移動しても、弾性変形して測光レンズ９２を保持することができる。このとき、測光レンズ９２は、外周面９２ｄの形状が光軸Ｏ５を中心とした円筒面であるため、調整時にその光軸Ｏ５を中心して回転しても、この回転によっては、光軸Ｏ５に対して垂直な方向へは移動しない。
【００２６】
測光レンズ保持バネ９５７は、図５に示すように、測光レンズ９２を測光素子９４側に押圧するための、例えば銅等の金属等の板材から形成された板バネである（図４参照）。測光レンズ保持バネ９５７は、取付部９５７ａと、回転止め９５７ｂと、バネ部９５７ｃと、突起９５７ｄとを有している。
取付部９５７ａは、図５に示すように、測光レンズ保持バネ９５７をホルダ９５に固定するための円環状の平面部である。取付部９５７ａは、その円環の中心孔に、ネジ９５９が挿入され、このネジ９５９がホルダ９５にネジ結合している。これにより、測光レンズ保持バネ９５７は、ホルダ９５に固定される。
回転止め９５７ｂは、図５に示すように、測光レンズ保持バネ９５７をホルダ９５にネジ止めするときに、測光レンズ保持バネ９５７が回転しないように設けられた回転止めである。回転止め９５７ｂは、取付部９５７ａの外周からＸ方向（図５に示す左方向）に突出するように設けられた部分であり、その先端がホルダ９５のＸ方向の側面に設けられた切り欠き９５ｇに挿入されるように折り曲げられている。また、測光レンズ保持バネ９５７は、ネジ９５９とこの回転止め９５７ｂとにより、光軸Ｏ５に垂直な面における位置決めがされる。
バネ部９５７ｃは、図５に示すように、測光レンズ保持バネ９５７のバネ性を有する腕部分であり、取付部９５７ａの外周から測光レンズ９２の中心の方向に向けて設けられている。測光レンズ保持バネ９５７は、バネ部９５７ｃによるバネ性により、測光レンズ９２を押圧することができる。
突起９５７ｄは、測光レンズ保持バネ９５７が測光レンズ９２と当接する部分であり、バネ部９５７ｃの先端の範囲を、略半球状に測光素子側に膨らませた突起である（図４参照）。この略半球の測光素子９４側の先端の部分が、測光レンズ９２の面９２ｅと当接している。
【００２７】
測光レンズ保持バネ９５８は、図５に示すように、測光レンズ保持バネ９５７と同様に、測光レンズ９２を、測光素子９４側に押圧するための板バネである。測光レンズ保持バネ９５８は、バネ部９５８ｃとバネ部９５８ｅとを、Ｖ字型に連結した形状である。測光レンズ保持バネ９５８は、取付部９５８ａとネジ９５９とにより、ホルダ９５にネジ止めされる。測光レンズ保持バネ９５８は、回転止め９５８ｂの先端が、ホルダ９５の側面に設けられた切り欠き９５ｈに挿入されることにより、ネジ止め時の回転止めをされる（図４参照）。測光レンズ保持バネ９５８は、ネジ９５９と回転止め９５８ｂとにより、光軸Ｏ５に垂直な面における位置決めがされる。
また、測光レンズ保持バネ９５８は、バネ部９５８ｃ，９５８ｅの先端の範囲にそれぞれ設けられた、突起９５８ｄ，９５８ｆの測光素子側の先端の部分が、測光レンズ９２の面９２ｅと当接している。
【００２８】
以上説明した測光装置９の調整機構による、測光レンズ９２の調整動作について説明する。
最初に、測光レンズ９２のＹ方向における位置調整について説明する。図５に示すように、測光レンズ９２の位置をＹ方向に移動させ調整するときは、Ｙ方向調整ネジ９５１をその軸回りに回転し、Ｙ方向に移動させる。これに追従し、スペーサ９５２がＹ方向に移動する。スペーサ９５２の当接面９５２ａは、測光レンズ９２の外周面９２ｄと当接しているので、測光レンズ９２は、Ｙ方向に移動する。ホルダ９５は、測光レンズ９２がＹ方向に移動するときにも、バネ９５５が弾性変形して測光レンズ９２をスペーサ９５２，９５４に付勢することにより、測光レンズ９２を保持することができる。また、このとき、スペーサ９５４の当接面９５４ａは、Ｙ方向に対して平行であるため、測光レンズ９２は、当接面９５４ａによってＹ方向への移動がガイドされる。これにより、測光レンズ９２は、Ｘ方向へ移動することなく、Ｙ方向へ移動することできる。
さらに、この調整時の移動において、測光レンズ９２は、光軸Ｏ５を中心とした外周面９２ｄに、スペーサ９５２の当接面９５２ａと、スペーサ９５４の当接面９５４ａと、バネ９５５のバネ先端部９５５ａとの３部材が当接することにより、保持されている。このため、測光レンズ９２は、移動時に外周面９２ｄと、当接面９５４ａ又はバネ先端部９５５ａとの摩擦により光軸Ｏ５を中心として回転することがあっても、この回転によっては、光軸Ｏ５に対して垂直な方向における位置が変化しない。
【００２９】
次に、測光レンズ９２のＸ方向における位置の調整について説明する。Ｘ方向の位置調整は、前述したＹ方向の調整と同様に行う。図５に示すように、測光レンズ９２の位置をＸ方向に移動させ調整するときは、Ｘ方向調整ネジ９５３を回転させ、スペーサ９５４をＸ方向に移動させる。スペーサ９５４の当接面９５４ａにより、測光レンズ９２は、Ｘ方向に移動する。スペーサ９５２の当接面９５２ａは、Ｘ方向に対して平行であるため、測光レンズ９２は、Ｘ方向への移動がガイドされる。
【００３０】
上述した測光レンズ９２のＸ，Ｙ方向の位置調整時おけるＺ方向の保持について説明する。
測光レンズ９２は、図４に示すように、測光素子９４側とは反対側の面である面９２ｅが、測光レンズ保持バネ９５７，９５８（押圧部）により押圧されている。そして、測光レンズ９２は、フランジ部９２ｃの測光素子９４側の面９２ｆが、ホルダ９５のレンズ規制面９５ａ（規制部）に押し当てられることにより、測光素子９４側への移動を規制され、Ｚ方向における位置決めがされる。つまり、レンズ規制面９５ａと測光レンズ保持バネ９５７，９５８は、測光レンズ９２を、光軸Ｏ５に対して垂直な方向へは拘束していない。このため、測光レンズ９２は、Ｘ，Ｙ方向における位置調整時において、Ｘ，Ｙ方向に移動することができる。
【００３１】
次に、上述したカメラ１の測光装置９の調整手順について説明する。
まず、細く絞ったスポット光を光軸Ｏ１に沿って撮影用レンズ３１側から入射する（図１参照）。スポット光は、クイックリターンミラー２等を経て、測光素子９４に入射する（図２参照）。その光を測光素子９４で撮像する。測光素子９４は、ＣＣＤ、ＣＭＯＳ等の電荷蓄積型の受光素子が用いられており、所定の蓄積時間だけ露光したならば、撮像した信号を測定器（図示せず）に出力し、その信号に基づいてスポット光の結像位置を算出する。そして、入射位置と測光素子９４とのＸ，Ｙ方向における中心位置のずれを算出する。
測光レンズ９２と測光素子９４とが正しい位置に配置されている場合には、結像位置は、測光素子９４の中心と一致する。Ｘ，Ｙ方向における結像位置がずれている場合には、上述した、Ｙ方向調整ネジ９５１，Ｘ方向調整ネジ９５３を用いて、測光レンズ９２の位置を調整し、結像位置の調整を行う。調整後に、再度スポット光を入射して撮像し、結像位置が測光素子９４の中心位置と一致しているか否かを確認する。位置ずれが検出された場合には、上記と同様の手順で再度位置調整を行う。調整が終了した場合、測光レンズ９２をホルダ９５に接着剤などにより固定する。以上で、測光装置９の調整が終了する。
【００３２】
このように、本実施例の測光装置９は、測光素子９４による撮像及びＹ方向調整ネジ９５１、Ｘ方向調整ネジ９５３による位置調整を繰り返し行うことによって、測光素子９４の中心位置にスポット光が結像するように、測光レンズ９２の位置を調整することができる。
その結果、従来のカメラのように測光素子９４の保持部材に、測光素子９４をＸ方向及びＹ方向に移動させるためのＸＹステージ機構を設ける必要がないので、測光装置９を従来よりも小さくすることできる。
【００３３】
また、ファインダ光学系上部に内蔵フラッシュライトが設けられる場合は、図４に示すように、通常、回転軸１３が上カバー１０のホルダ９５の周辺に設けられる。内蔵フラッシュライト（図示せず）は、ホルダ９５より前方側に設けられていて、ケース１２に収容される。そして、ケース１２が、回転軸１３を中心として回動可能に、カメラ１に取り付けられる。
この場合、従来の測光装置は、測光素子の位置を調整するためにＸＹステージ機構を設ける必要があり、図４に示す寸法Ｄが大きくなり、ファインダ周辺が大型になるという問題があった。それに対して、本実施例の測光装置９を搭載したカメラ１は、測光装置９を小型にすることができるので、ファインダ周辺の大型化を防止することができる。
【００３４】
以上説明したように、本実施例の測光装置９（カメラ用光学系調整装置）は、測光素子９４（受光素子）と、これに受光させる光学系を形成する測光レンズ９２（レンズ部材）とを備えている。そして、図５に示すように、Ｙ方向調整ネジ９５１とスペーサ９５２とからなる調整部（第１の調整部）は、測光レンズ９２の位置を、その光軸Ｏ５と直交するＹ方向（第１の方向）に移動させ調整する。また、調整ネジＸ方向調整ネジ９５３とスペーサ９５４とからなる調整部（第２の調整部）は、測光レンズ９２の位置を、その光軸Ｏ５と直交し、Ｙ方向とは異なるＸ方向（第２の方向）に移動させ調整する。
また、測光レンズ９２は、図３に示すように、光学系を形成するレンズ部９２ａ，９２ｂと、これの径方向外側に設けられ、光軸Ｏ５に沿った方向に中心軸を有する円筒状に形成されたフランジ部９２ｃとを有している。そして、図５に示すように、スペーサ９５２の当接面９５２ａ（第１の当接部）は、フランジ部９２ｃの外周面９２ｄと当接し、測光レンズ９２をＸ方向へガイドするガイド部（第２のガイド部）を形成している。また、スペーサ９５４の当接面９５４ａ（第２の当接部）は、フランジ部９２ｃの外周面９２ｄと当接し、測光レンズ９２をＹ方向へガイドするガイド部（第１のガイド部）を形成している。
これにより、本実施例の測光装置９の測光レンズ９２は、光軸Ｏ５と直交する方向に移動することができ、測光素子９４に対する位置の調整をすることができる。また、調整部とガイド部とを共用しているので、部品点数を削減し、構造を簡単にすることができ、カメラの小型化、コスト削減を図ることができる。
【００３５】
また、測光装置９は、図５に示すように、測光レンズ９２を、スペーサ９５２の当接面９５２ａとスペーサ９５４の当接面９５４ａとに付勢するバネ９５５（付勢部）を備えている。そして、図４に示すように、ホルダ９５のレンズ規制面９５ａ（規制部）は、フランジ部９２ｃの測光素子９４側の面である面９２ｆ（第１の面）と当接し、測光レンズ９２の測光素子９４側への移動を規制している。さらに、測光レンズ保持バネ９５７，９５８（押圧部）は、フランジ部９２ｃの、測光素子９４側とは反対側の面である面９２ｅ（第２の面）を押圧し、レンズ規制面９５ａに面９２ｆを押し当てている。
これにより、測光レンズ９２は、調整時の移動において、光軸Ｏ５を中心として回転することができ、回転してもその光軸Ｏ５がずれることがない。また、その光軸Ｏ５に沿った方向における位置を維持することができる。
【００３６】
さらに、本実施例の測光装置９は、測光素子９４が電荷蓄積型のＣＣＤ，ＣＭＯＳ等の光−電子変換素子である。このため、上述した構成を用いて、調整時に電荷蓄積型の受光素子９４を一時的に保持することができるので、調整作業の作業効率の向上を図ることができる。
【００３７】
（変形例）
以上説明した実施例に限定されることなく、種々の変形や変更が可能であって、それらも本発明の均等の範囲内である。
（１）本実施例において、測光装置９は、接眼光学系８の上側に配置された例を示したが、これに限定されず、他の位置に配置してもよい。例えば、クイックリターンミラー２の下側に配置して（図１に２点鎖線１４で示す。）、シャッタ５やフィルム４に反射した光の強度を測定してもよい。
【００３８】
（２）本実施例において、測光装置９の測光レンズ９２の位置を調整する例を示したが、これに限定されず、他の光学系のレンズの位置を調整してもよい。例えば、閃光撮影の調光を行なう光学系や、測距用の光学系を構成するレンズ位置の調整をしてもよい。また、この場合、閃光撮影の調光は、測光素子を兼用して行うようにして、部品削減をしても良い。
【００３９】
（３）本実施例において、測光装置９は、フィルム用一眼レフカメラに設けられた例を示したが、これに限定されない。例えば、デジタル一眼レフカメラに設けてもよい。
【図面の簡単な説明】
【００４０】
【図１】本発明を適用した実施例の測光装置９を備えたカメラ１の縦断面図である。
【図２】本発明を適用した実施例の測光装置９等の部分を示す縦断面図である。
【図３】本発明を適用した実施例の測光レンズ９２の外観を示す図である。
【図４】本発明を適用した実施例の測光装置９等の部分を示す横断面図である
【図５】本発明を適用した実施例の測光装置９等の部分をカメラ下側から示す図である。
【符号の説明】
【００４１】
１    カメラ
２    クイックリターンミラー
３    交換レンズ
４    フィルム
５    シャッタ
６    ファインダスクリーン
７    ペンタプリズム
８    接眼光学系
９    測光装置
３１    撮影用レンズ
９１    測光プリズム
９２    測光レンズ
９２ａ，９２ｂ    レンズ部
９２ｃ    フランジ部
９２ｄ    外周面
９２ｅ，９２ｆ    面
９３    ＩＲフィルタ
９４    測光素子
９５    ホルダ
９５ａ    レンズ規制面
９５ｂ    フィルタ保持面
９５ｃ    測光素子接触面
９５１    Ｙ方向調整ネジ
９５２，９５４    スペーサ
９５２ａ，９５４ａ    当接面
９５３    Ｘ方向調整ネジ
９５５    バネ
９５５ａ    バネ先端部
９５６    ネジ
９５７，９５８    測光レンズ保持バネ
９５９    ネジ
【図１】
2006189599.tif 000003
【図２】
2006189599.tif 000004
【図３】
2006189599.tif 000005
【図４】
2006189599.tif 000006
【図５】
2006189599.tif 000007